(57)【特許請求の範囲】
【請求項１】
第１のワイヤレスネットワークを介した少なくとも１つの他の照明装置への接続のための第１の無線トランシーバと、
第２のワイヤレスネットワークを介したネットワーク装置への接続のための第２の無線トランシーバと、
ネットワーク認証情報を格納するメモリであって、格納された前記ネットワーク認証情報が前記第２のワイヤレスネットワークを介した前記ネットワーク装置との通信のための前記第２の無線トランシーバによる使用に割り当てられるＭＡＣアドレスを示す、メモリと、
制御モジュールと、
を備える照明装置であって、
前記制御モジュールは、
前記照明装置が、前記照明装置と前記ネットワーク装置との間でデータが交換されることを可能にするために、前記第１のワイヤレスネットワークと前記第２のワイヤレスネットワークとの間のブリッジとして動作している前記少なくとも１つの他の照明装置のうちの他の照明装置の代わりに、前記第１のワイヤレスネットワークと前記第２のワイヤレスネットワークとの間のブリッジとして動作すべきことを検知し、
前記第２のワイヤレスネットワークと通信するために、前記他の照明装置による使用のために確立された、前記他の照明装置と関連付けられるＭＡＣアドレスを獲得し、
前記他の照明装置と関連付けられる前記ＭＡＣアドレスが、前記第２のワイヤレスネットワークを介した前記ネットワーク装置との通信のための前記第２の無線トランシーバによる使用に割り当てられるように、メモリに格納された前記ネットワーク認証情報を修正し、それにより前記照明装置を、ブリッジとして動作している前記照明装置を介して前記少なくとも１つの他の照明装置と前記ネットワーク装置との間でデータが交換されることを可能にするために、前記第１のワイヤレスネットワークと前記第２のワイヤレスネットワークとの間の前記ブリッジとして動作するように構成する、
照明装置。
【請求項２】
前記制御モジュールは、前記第１の無線トランシーバによる、前記ワイヤレスネットワークを介して前記他の照明装置から送信されるメッセージの受信に基づいて、前記照明装置が前記ブリッジとして動作すべきことを検知し、当該メッセージが、前記照明装置に前記ブリッジとして動作するように命令する、請求項１に記載の照明装置。
【請求項３】
前記制御モジュールは、前記メッセージの読込みに基づいて前記他の照明装置と関連付けられる前記ＭＡＣアドレスを獲得する、請求項２に記載の照明装置。
【請求項４】
前記制御モジュールは、
前記第１の無線トランシーバによって、前記第１のワイヤレスネットワークを介して前記少なくとも１つの他の照明装置から送信される前記少なくとも１つの他の照明装置と関連付けられる信号特性及び／又は装置能力を受信し、
前記照明装置と関連付けられる前記信号特性及び／又は装置能力を決定し、
前記照明装置と関連付けられる前記信号特性及び／又は装置能力と前記少なくとも１つの他の照明装置と関連付けられる信号特性及び／又は装置能力との比較に基づいて、前記照明装置を前記ブリッジとして動作すべきことを検知する、
請求項１に記載の照明装置。
【請求項５】
前記格納されたネットワーク認証情報は、前記他の照明装置と関連付けられる前記ＭＡＣアドレスを示し、前記制御モジュールは、前記メモリに問合せを行うことによって、他の照明装置と関連付けられる前記ＭＡＣアドレスを獲得する、請求項２又は４に記載の照明装置。
【請求項６】
前記制御モジュールは、前記ブリッジとして動作する前に、前記他の照明装置が、前記第２のワイヤレスネットワークを介した前記ネットワーク装置との通信のための前記第２の無線トランシーバによる使用に割り当てられる前記ＭＡＣアドレスと関連付けられるように、前記格納されたネットワーク認証情報をさらに修正する、請求項５に記載の照明装置。
【請求項７】
前記格納されたネットワーク認証情報は、前記第２のワイヤレスネットワークを介した通信のための前記少なくとも１つの他の照明装置の各々と関連付けられるＭＡＣアドレスを示し、前記制御モジュールは、ラウンドロビン方式に従って、前記格納されたネットワーク認証情報をさらに修正する、請求項５に記載の照明装置。
【請求項８】
前記制御モジュールは、前記第１のワイヤレスネットワークを介して、前記少なくとも１つの他の照明装置とスケジューリング情報を交換して、前記格納されたネットワーク認証情報の前記修正を前記少なくとも１つの他の照明装置で格納されたネットワーク認証情報の修正と同期させる、請求項６又は７に記載の照明装置。
【請求項９】
前記制御モジュールは、
前記少なくとも１つの他の照明装置のうちの１つが、前記少なくとも１つの他の照明装置と前記ネットワーク装置との間でデータが交換されることを可能にするために、前記他の照明装置の代わりに前記ブリッジとして動作すべきことを検知し、
前記第２のワイヤレスネットワークと通信するために、前記他の照明装置による使用のために確立された、前記他の照明装置と関連付けられるＭＡＣアドレスを獲得し、
前記照明装置が前記ブリッジとして動作すべきとき、前記他の照明装置と関連付けられる前記ＭＡＣアドレスが、前記第２のワイヤレスネットワークを介した前記ネットワーク装置との通信のための前記第２の無線トランシーバによる使用に割り当てられるように、メモリに格納された前記ネットワーク認証情報を修正する、請求項１乃至８の何れか一項に記載の照明装置。
【請求項１０】
前記制御モジュールは、前記第１の無線トランシーバによる、前記他の照明装置を介してリモートネットワークに接続されるサーバから送信されるコマンドの受信に基づいて、前記照明装置が前記ブリッジとして動作すべきことを検知する、請求項１乃至９の何れか一項に記載の照明装置。
【請求項１１】
前記制御モジュールは、前記第１の無線トランシーバによる、前記他の照明装置を介して前記第２のワイヤレスネットワークに接続される制御装置から送信されるコマンドの受信に基づいて、前記照明装置が前記ブリッジとして動作すべきことを検知する、請求項１乃至１０の何れか一項に記載の照明装置。
【請求項１２】
第１のワイヤレスネットワークと、
前記第１のワイヤレスネットワークに接続される複数の照明装置と
を備える照明システムであって、
前記複数の照明装置の各々は、
第１のワイヤレスネットワークを介した前記複数の照明装置の少なくとも１つの他の照明装置への接続のための第１の無線トランシーバと、
第２のワイヤレスネットワークを介したネットワーク装置への接続のための第２の無線トランシーバと、
ネットワーク認証情報を格納するメモリであって、格納された前記ネットワーク認証情報が前記第２のワイヤレスネットワークを介した前記ネットワーク装置との通信のための前記第２の無線トランシーバによる使用に割り当てられるＭＡＣアドレスを示す、メモリと、
制御モジュールと、
を備え、
前記制御モジュールは、前記複数の照明装置のうちの照明装置が、前記照明装置と前記ネットワーク装置との間でデータが交換されることを可能にするために、前記第１のワイヤレスネットワークと前記第２のワイヤレスネットワークとの間のブリッジとして動作している前記複数の照明装置のうちの他の照明装置の代わりに、前記第１のワイヤレスネットワークと前記第２のワイヤレスネットワークとの間のブリッジとして動作すべきことを検知し、
前記第２のワイヤレスネットワークと通信するために、前記他の照明装置による使用のために確立された、前記他の照明装置と関連付けられるＭＡＣアドレスを獲得し、
前記他の照明装置と関連付けられる前記ＭＡＣアドレスが、前記第２のワイヤレスネットワークを介した前記ネットワーク装置との通信のための前記第２の無線トランシーバによる使用に割り当てられるように、メモリに格納された前記ネットワーク認証情報を修正し、それにより前記照明装置を、ブリッジとして動作している前記照明装置を介して前記少なくとも１つの他の照明装置と前記ネットワーク装置との間でデータが交換されることを可能にするために、前記第１のワイヤレスネットワークと前記第２のワイヤレスネットワークとの間のブリッジとして動作するように構成する、
照明システム。
【請求項１３】
第１のワイヤレスネットワークを介した少なくとも１つの他の照明装置への接続のための第１の無線トランシーバと、第２のワイヤレスネットワークを介したネットワーク装置への接続のための第２の無線トランシーバと、ネットワーク認証情報を格納するメモリであって、格納された前記ネットワーク認証情報が前記第２のワイヤレスネットワークを介した前記ネットワーク装置との通信のための前記第２の無線トランシーバによる使用に割り当てられるＭＡＣアドレスを示す、メモリと、を備える照明装置によって実施される方法であって、前記方法は、
前記照明装置が、前記照明装置と前記ネットワーク装置との間でデータが交換されることを可能にするために、前記第１のワイヤレスネットワークと前記第２のワイヤレスネットワークとの間のブリッジとして動作している前記少なくとも１つの他の照明装置のうちの他の照明装置の代わりに、前記第１のワイヤレスネットワークと前記第２のワイヤレスネットワークとの間のブリッジとして動作すべきことを検知するステップと、
前記第２のワイヤレスネットワークと通信するために、前記他の照明装置による使用のために確立された、前記他の照明装置と関連付けられるＭＡＣアドレスを獲得するステップと、
前記他の照明装置と関連付けられる前記ＭＡＣアドレスが、前記第２のワイヤレスネットワークを介した前記ネットワーク装置との通信のための前記第２の無線トランシーバによる使用に割り当てられるように、メモリに格納された前記ネットワーク認証情報を修正し、それにより前記照明装置を、ブリッジとして動作している前記照明装置を介して前記少なくとも１つの他の照明装置と前記ネットワーク装置との間でデータが交換されることを可能にするために、前記第１のワイヤレスネットワークと前記第２のワイヤレスネットワークとの間の前記ブリッジとして動作するように構成するステップと、
を含む、方法。
【請求項１４】
照明装置のプロセッサによって実行されるとき、請求項１３に記載の方法の各ステップを実施するように構成されたコードであって、コンピュータ可読媒体上で具現化される当該コードを含む、コンピュータプログラム。
【発明の詳細な説明】
【技術分野】
【０００１】
本開示は、照明ネットワークに関する。具体的には、制御装置によって制御され得る照明装置を備える照明ネットワークに関する。
【背景技術】
【０００２】
知られている照明装置は、照明装置をオン若しくはオフにするため、又は照明装置によって発せられる光の量を強くしたり弱くしたりするために、機械スイッチを使用して制御され得る。
【０００３】
昨今では、接続された照明システムの人気が高まっている。知られている接続された照明システムは、メッシュネットワークによって接続される複数の照明装置を備える。複数の照明装置の各々は、照明装置の製造業者及び照明装置の種類に基づく、メディアアクセス制御（ＭＡＣ）アドレスとして知られる固有の固定識別子によって識別される。複数の照明装置の各々は、メッシュネットワークとＷｉ−Ｆｉ（登録商標）ネットワークとのブリッジとして機能することができる。しかしながら、どの時点においても、メッシュネットワークとＷｉ−Ｆｉ（登録商標）ネットワークとのブリッジとして動作することが許されるのは、複数の照明装置のうちの１つのみである。Ｗｉ−Ｆｉ（登録商標）ネットワークに接続されるスマートフォンなどの制御装置は、複数の照明装置に制御データを送信するために、ブリッジとして動作する照明装置に接続するように動作可能である。制御装置で実行されるソフトウェアアプリケーションは、制御装置のユーザが複数の照明装置から発せられる光を制御すること、例えば、照明装置のうちの１つ又は複数をオン又はオフにすること、照明装置のうちの１つ又は複数によって発せられる光の量を強めたり弱めたりすること、照明装置のうちの１つ又は複数によって発せられる光の輝度を制御すること、及び照明装置のうちの１つ又は複数によって発せられる光の色を制御することを可能にする。
【０００４】
図１は、制御装置１０２がアクセスポイント１０４を介してブリッジとして動作する照明装置に接続されるシナリオを例示する。代替的に、制御装置１０２は、直接的にＷｉ−Ｆｉ（登録商標）ネットワークを介してブリッジとして動作する照明装置へ接続し、このシナリオは図２に例示される。
【発明の概要】
【発明が解決しようとする課題】
【０００５】
本開示の発明者らは、モビリティ、ネットワーク安定性、及び最適化されたネットワークトポロジーを考慮して、照明装置がアクセスポイント又は制御装置へ動的に接続することを可能にする動的ネットワークが必要とされることを明らかにした。
【課題を解決するための手段】
【０００６】
本開示の一態様に従って、第１のワイヤレスネットワークを介した少なくとも１つの他の照明装置への接続のための第１の無線トランシーバと、第２のワイヤレスネットワークを介したネットワーク装置への接続のための第２の無線トランシーバと、ネットワーク認証情報を格納するメモリであって、格納されたネットワーク認証情報が第２のワイヤレスネットワークを介したネットワーク装置との通信のための第２の無線トランシーバによる使用に割り当てられるネットワーク認証情報を含む、メモリと、制御モジュールと、を備える照明装置であって、制御モジュールが、照明装置が、前記少なくとも１つの他の照明装置とネットワーク装置との間でデータが交換されることを可能にするために、少なくとも１つの他の照明装置のうちの他の照明装置の代わりにブリッジとして動作すべきことを検知し、第２のワイヤレスネットワークと通信するために、他の照明装置による使用のために確立された、他の照明装置と関連付けられるネットワーク認証情報を獲得し、他の照明装置と関連付けられるネットワーク認証情報が、第２のワイヤレスネットワークを介したネットワーク装置との通信のための第２の無線トランシーバによる使用に割り当てられるように、メモリに格納されたネットワーク認証情報を修正し、それにより照明装置をブリッジとして動作するように構成するように構成される、照明装置が提供される。
【０００７】
制御モジュールは、第１の無線トランシーバによる、ワイヤレスネットワークを介して他の照明装置から送信されるメッセージの受信に基づいて、照明装置がブリッジとして動作すべきことを検知するように構成され、本メッセージが、照明装置にブリッジとして動作するように命令する。
【０００８】
制御モジュールは、前記メッセージの読込みに基づいて他の照明装置と関連付けられるネットワーク認証情報を獲得するように構成される。
【０００９】
制御モジュールは、第１の無線トランシーバによって、第１のワイヤレスネットワークを介して前記少なくとも１つの他の照明装置から送信される前記少なくとも１つの他の照明装置と関連付けられる信号特性及び／又は装置能力を受信し、照明装置と関連付けられる信号特性及び／又は装置能力を決定し、照明装置と関連付けられる前記信号特性及び／又は装置能力と少なくとも１つの他の照明装置と関連付けられる信号特性及び／又は装置能力との比較に基づいて、照明装置がブリッジとして動作すべきことを検知するように構成される。
【００１０】
格納されたネットワーク認証情報は、他の照明装置と関連付けられるネットワーク認証情報を含み、制御モジュールは、メモリに問合せを行うことによって、他の照明装置と関連付けられるネットワーク認証情報を獲得するように構成される。
【００１１】
制御モジュールは、他の照明装置が、ブリッジとして動作する前に、第２のワイヤレスネットワークを介したネットワーク装置との通信のための第２の無線トランシーバによる使用に割り当てられるネットワーク認証情報と関連付けられるように、格納されたネットワーク認証情報をさらに修正するように構成される。
【００１２】
格納されたネットワーク認証情報は、第２のワイヤレスネットワークを介した通信のための少なくとも１つの他の照明装置の各々と関連付けられるネットワーク認証情報を含み、制御モジュールは、ラウンドロビン方式に従って、格納されたネットワーク認証情報をさらに修正するように構成される。
【００１３】
制御モジュールは、第１のワイヤレスネットワークを介して、少なくとも１つの他の照明装置とスケジューリング情報を交換して、格納されたネットワーク認証情報の前記修正を少なくとも１つの他の照明装置に格納されたネットワーク認証情報の修正と同期させるように構成される。
【００１４】
制御モジュールは、少なくとも１つの他の照明装置のうちの１つが、少なくとも１つの他の照明装置とネットワーク装置との間でデータが交換されることを可能にするために、他の照明装置の代わりにブリッジとして動作すべきことを検知し、第２のワイヤレスネットワークと通信するために、他の照明装置による使用のために確立された、他の照明装置と関連付けられるネットワーク認証情報を獲得し、照明装置がブリッジとして動作すべきとき、他の照明装置と関連付けられるネットワーク認証情報が、第２のワイヤレスネットワークを介したネットワーク装置との通信のための第２の無線トランシーバによる使用に割り当てられるように、メモリに格納されたネットワーク認証情報を修正するようにさらに構成される。
【００１５】
制御モジュールは、第１の無線トランシーバによる、他の照明装置を介してリモートネットワークに接続されるサーバから送信されるコマンドの受信に基づいて、照明装置がブリッジとして動作すべきことを検知するように構成される。
【００１６】
制御モジュールは、第１の無線トランシーバによる、他の照明装置を介して第２のワイヤレスネットワークに接続される制御装置から送信されるコマンドの受信に基づいて、照明装置がブリッジとして動作すべきことを検知するように構成される。
【００１７】
本開示の一態様に従って、第１のワイヤレスネットワークと、第１のワイヤレスネットワークに接続される複数の照明装置とを備える照明システムが提供され、ここで複数の照明装置の各々は、第１のワイヤレスネットワークを介した複数の照明装置の少なくとも１つの他の照明装置への接続のための第１の無線トランシーバと、第２のワイヤレスネットワークを介したネットワーク装置への接続のための第２の無線トランシーバと、ネットワーク認証情報を格納するメモリであって、格納されたネットワーク認証情報が第２のワイヤレスネットワークを介したネットワーク装置との通信のための第２の無線トランシーバによる使用に割り当てられるネットワーク認証情報を含む、メモリと、制御モジュールと、を備え、制御モジュールは、照明装置が、前記複数の照明装置とネットワーク装置との間でデータが交換されることを可能にするために、複数の照明装置のうちの他の照明装置の代わりにブリッジとして動作すべきことを検知し、第２のワイヤレスネットワークと通信するために、他の照明装置による使用のために確立された、他の照明装置と関連付けられるネットワーク認証情報を獲得し、他の照明装置と関連付けられるネットワーク認証情報が、第２のワイヤレスネットワークを介したネットワーク装置との通信のための第２の無線トランシーバによる使用に割り当てられるように、メモリに格納されたネットワーク認証情報を修正し、それにより照明装置をブリッジとして動作するように構成するように構成される。
【００１８】
本開示の一態様に従って、第１のワイヤレスネットワークを介した少なくとも１つの他の照明装置への接続のための第１の無線トランシーバと、第２のワイヤレスネットワークを介したネットワーク装置への接続のための第２の無線トランシーバと、ネットワーク認証情報を格納するメモリであって、格納されたネットワーク認証情報が第２のワイヤレスネットワークを介したネットワーク装置との通信のための第２の無線トランシーバによる使用に割り当てられるネットワーク認証情報を含む、メモリと、を備える照明装置によって実施される方法であって、方法は、照明装置が、前記少なくとも１つの他の照明装置とネットワーク装置との間でデータが交換されることを可能にするために、少なくとも１つの他の照明装置のうちの他の照明装置の代わりにブリッジとして動作すべきことを検知するステップと、第２のワイヤレスネットワークと通信するために、他の照明装置による使用のために確立された、他の照明装置と関連付けられるネットワーク認証情報を獲得するステップと、他の照明装置と関連付けられる認証情報が、第２のワイヤレスネットワークを介したネットワーク装置との通信のための第２の無線トランシーバによる使用に割り当てられるように、メモリに格納されたネットワーク認証情報を修正し、それにより照明装置をブリッジとして動作するように構成するステップと、を含む方法が提供される。
【００１９】
本開示の一態様に従って、コンピュータ可読媒体上で具現化されるコードを含むコンピュータプログラムであって、第１のワイヤレスネットワークを介した少なくとも１つの他の照明装置への接続のための第１の無線トランシーバと、第２のワイヤレスネットワークを介したネットワーク装置への接続のための第２の無線トランシーバと、ネットワーク認証情報を格納するメモリであって、格納されたネットワーク認証情報が第２のワイヤレスネットワークを介したネットワーク装置との通信のための第２の無線トランシーバによる使用に割り当てられるネットワーク認証情報を含む、メモリと、を備える照明装置のプロセッサによって実行されるとき、照明装置が、前記少なくとも１つの他の照明装置とネットワーク装置との間でデータが交換されることを可能にするために、少なくとも１つの他の照明装置のうちの他の照明装置の代わりにブリッジとして動作すべきことを検知し、第２のワイヤレスネットワークと通信するために、他の照明装置による使用のために確立された、他の照明装置と関連付けられるネットワーク認証情報を獲得し、他の照明装置と関連付けられるネットワーク認証情報が、第２のワイヤレスネットワークを介したネットワーク装置との通信のための第２の無線トランシーバによる使用に割り当てられるように、メモリに格納されたネットワーク認証情報を修正し、それにより照明装置をブリッジとして動作するように構成するように構成される、コンピュータプログラムが提供される。
【００２０】
これらの態様及び他の態様は、以下に説明される実施形態から明らかである。本開示の範囲は、本概要により限定されることも、記される不利益のうちのいずれか又はすべてを必ず解決する実装に限定されることも意図されさない。
【００２１】
本開示のより良い理解のため、及び実施形態を具体化する方法を示すため、添付の図面を参照する。
【図面の簡単な説明】
【００２２】
【図１】固定ＭＡＣアドレスを有する複数の照明装置を備える先行技術の照明システムを例証する。
【図２】固定ＭＡＣアドレスを有する複数の照明装置を備える他の先行技術の照明システムを例証する。
【図３ａ】本開示の実施形態に従う照明システムを例証する。
【図３ｂ】本開示の実施形態に従う照明システムを例証する。
【図４】本開示の実施形態に従う照明装置を例証する。
【図５ａ】本開示の実施形態における照明装置によって格納されるネットワーク認証情報を例証する。
【図５ｂ】本開示の実施形態における照明装置によって格納されるネットワーク認証情報を例証する。
【図５ｃ】本開示の実施形態における照明装置によって格納されるネットワーク認証情報を例証する。
【図５ｄ】本開示の実施形態における照明装置によって格納されるネットワーク認証情報を例証する。
【発明を実施するための形態】
【００２３】
まず、照明システム３００を例証する図３ａ及び図３ｂを参照する。
【００２４】
照明システム３００は、複数の照明装置（ＬＤ）を備える。照明装置ＬＤの各々は、少なくとも１つの光源３０８と、Ｗｉ−Ｆｉ（登録商標）プロトコル（例えば、ＩＥＥＥ８０２．１１  ｌｅｇａｃｙ／ａ／ｂ／ｇ／ｎ／ａｃ／ａｄなど）に従ってＷｉ−Ｆｉ（登録商標）ネットワーク３１６に接続される他の装置との通信を可能にするため、Ｗｉ−Ｆｉ（登録商標）ネットワーク３１６への接続のためのＷｉ−Ｆｉ（登録商標）無線トランシーバ３１０−ｎ（ここでｎは特定の照明装置を表す）と、ワイヤレスネットワーキングプロトコル（例えば、ＩＥＥＥ８０２．１５．４）に従ってＬＲ−ＷＰＡＮ３１４に接続される他の装置との通信を可能にするため、Ｚｉｇｂｅｅ（登録商標）又はＩＰｖ６を利用した低消費電力な無線パーソナルエリアネットワーク（６ｌｏｗｐａｎ）ネットワークなどの低レート無線パーソナルエリアネットワーク（ＬＲ−ＷＰＡＮ）３１４への接続のための無線トランシーバ３１２−ｎとを備える。
【００２５】
図３ｂは、ＬＲ−ＷＰＡＮ３１４に接続される５つの照明装置（ＬＤ１、ＬＤ２、ＬＤ３、ＬＤ４、及びＬＤ５）を示すが、これは単に例にすぎない。
【００２６】
Ｗｉ−Ｆｉ（登録商標）アクセスポイント３０４は、接続（Ｗ）によってインターネット３０６（又は他のパケットベースネットワーク）に接続される（図３ａ）。図３ａ及び図３ｂに示されるように、照明装置ＬＤ３のＷｉ−Ｆｉ（登録商標）無線トランシーバ（３１０−３）は、Ｗｉ−Ｆｉ（登録商標）ネットワーク３１６内の接続（Ｃ）によってＷｉ−Ｆｉ（登録商標）アクセスポイント３０４に接続される。
【００２７】
照明装置のそれぞれは、それらの個々の無線トランシーバ３１２−ｎを使用してＬＲ−ＷＰＡＮ３１４を通じて互いに通信することができる。ＬＲ−ＷＰＡＮ３１４のネットワークトポロジーに応じて、照明装置は、直接通信リンクを介するか、又は非直接的に１つ若しくは複数の他の照明装置を介して他の照明装置の各々と通信することができる。ＬＲ−ＷＰＡＮ３１４のネットワークトポロジーは、スター型ネットワーク、リング型ネットワーク、メッシュ型ネットワーク（完全に接続されるか、又は部分的に接続される）、ツリー型ネットワーク、バス型ネットワーク、又は当業者に知られる任意の他の配置である。
【００２８】
制御装置３０２は、Ｗｉ−Ｆｉ（登録商標）ネットワーク３１６内の接続（Ｕ）によってＷｉ−Ｆｉ（登録商標）アクセスポイント３０４へ接続し、これは図３ａに例証される。これが、Ｗｉ−Ｆｉ（登録商標）ネットワーク３１６内の接続（Ｕ）及び（Ｃ）を介して制御装置３０２と照明装置ＬＤ３との間でデータが交換されることを可能にする。代替的に、制御装置３０２は、Ｗｉ−Ｆｉ（登録商標）ネットワーク３１６内の直接接続を介して（即ち、Ｗｉ−Ｆｉ（登録商標）アクセスポイント３０４を介さず）照明装置ＬＤ３へ接続する。
【００２９】
制御装置３０２は、例えば、携帯電話、パーソナルデジタルアシスタント（ＰＤＡ）、タブレット、ラップトップコンピュータ、ゲーム機、又はＷｉ−Ｆｉ（登録商標）ネットワーク３１６へ接続できる他の装置である。制御装置３０２は、制御装置３０２のユーザから情報を受信し、そこへ情報を出力するように配置される。
【００３０】
照明システム３００において、照明装置ＬＤ３は、“ブリッジ”として動作している。“ブリッジ”という用語は、本明細書内では、ＬＲ−ＷＰＡＮ３１４に接続された照明装置と制御装置３０２との間でデータが交換されることを可能にする照明装置を指すために使用される（データは、Ｗｉ−Ｆｉ（登録商標）ネットワーク３１６を通じて直接的に、又はＷｉ−Ｆｉ（登録商標）アクセスポイント３０４を介して、制御装置３０２とブリッジ照明装置との間で交換される）。即ち、制御装置３０２から送信されるデータは、Ｗｉ−Ｆｉ（登録商標）無線トランシーバ３１０−３を使用して照明装置ＬＤ３によって受信され、無線トランシーバ３１２−３を使用してＬＲ−ＷＰＡＮ３１４を介して他の照明装置（ＬＤ１、ＬＤ２、ＬＤ４、及びＬＤ５）に送信される。これにより、制御装置３０２のユーザが、複数の照明装置のうちの１つ又は複数から発せられる光を制御すること、例えば、照明装置のうちの１つ又は複数をオン又はオフにすること、照明装置のうちの１つ又は複数によって発せられる光の量を強めたり弱めたりすること、照明装置のうちの１つ又は複数によって発せられる光の輝度を制御すること、及び照明装置のうちの１つ又は複数によって発せられる光の色を制御することを可能にする。
【００３１】
照明装置（ＬＤ１、ＬＤ２、ＬＤ３、ＬＤ４、及びＬＤ５）の各々が、Ｗｉ−Ｆｉ（登録商標）アクセスポイント３０４との関連を設定し、ブリッジとして働く能力を有する。
【００３２】
初期設定中、照明装置のうちの１つの電源が入っている。この時点では、この照明装置は、Ｗｉ−Ｆｉ（登録商標）アクセスポイント３０４を認証し、それ故にそこへ接続するために必要なセキュリティ情報を保有しない。照明装置は、制御装置３０２が照明装置へ接続することを可能にするその独自のＷｉ−Ｆｉ（登録商標）ネットワーク（それはアクセスポイントとして働く）をホストするように構成される。制御装置３０２のユーザは、セキュリティ情報が、制御装置３０２のユーザによって制御装置３０２に入力され、（照明装置によって設定されるＷｉ−Ｆｉ（登録商標）ネットワークを通じて）制御装置３０２から照明装置に転送されるという構成手順によって、この照明装置をブリッジとして構成することができる。セキュリティ情報の受信後、照明装置は、そのホストしたＷ−Ｆｉネットワークをシャットダウンし、受信したセキュリティ情報を使用してＷｉ−Ｆｉ（登録商標）アクセスポイント３０４へ接続するように構成される（即ち、照明装置は、Ｗｉ−Ｆｉ（登録商標）アクセスポイント３０４で認証する）。セキュリティ情報は、例えば、Ｗｉ−Ｆｉ（登録商標）アクセスポイント３０４と関連付けられるサービスセット識別子（ＳＳＩＤ）及びパスフレーズを含む。
【００３３】
他の照明装置の電源が入れられると、これらの他の照明装置は、ブリッジ照明装置について上に説明されたものと同じ様式でセキュリティ情報を獲得する。代替的に、これらの他の照明装置は、ブリッジ照明装置と安全に通信して（製造時に構成される共有秘密キーによって達成される）、ＬＲ−ＷＰＡＮ３１４を設定し、ＬＲ−ＷＰＡＮ３１４を介してセキュリティ情報を受信することによって、セキュリティ情報を獲得する。ＬＲ−ＷＰＡＮ３１４を通じた照明装置とＬＲ−ＷＰＡＮ３１４との間の通信は、固定又は動的暗号化キーを使用して保護される。
【００３４】
照明装置ＬＤ３は、様々な理由のうちの１つにより、ブリッジとして動作している。例えば、照明装置ＬＤ３は、他の照明装置（ＬＤ１、ＬＤ２、ＬＤ４、及びＬＤ５）のいずれかがオンにされる前にオンにされているか、又は照明装置（ＬＤ１、ＬＤ２、ＬＤ３、ＬＤ４、及びＬＤ５）の初期設置中に、照明装置ＬＤ３は最良のリンクバジェットを有し、この時以来ブリッジ機能が変更／更新されていない。
【００３５】
照明装置（ＬＤ１、ＬＤ２、ＬＤ４、及びＬＤ５）のネットワークは、動的に変化することができ、例えば、照明装置ＬＤ３以外の照明装置がブリッジになることができる。照明装置がブリッジとして動作するというこの変化は、無線環境の変化によって引き起こされ得る。例えば、ブリッジ機能性を照明装置ＬＤ３から照明装置ＬＤ２に変更することによって、ネットワーク品質が向上され、レスポンス／レイテンシなどに関して照明体験においてより良いパフォーマンスをもたらす。
【００３６】
各照明装置のＷｉ−Ｆｉ（登録商標）無線トランシーバ３１０−ｎは、ＭＡＣアドレスと関連付けられる。Ｗｉ−Ｆｉ（登録商標）無線トランシーバ３１０−ｎのＭＡＣアドレスは、コロン又はダッシュによって分離され、ネットワーク化された装置のＷｉ−Ｆｉ（登録商標）無線トランシーバ３１０−ｎ用の固有の識別子として機能する６組の１６進数字として、典型的には人間が読むことができる形式に見える６バイトの情報からなる。Ｗｉ−Ｆｉ（登録商標）無線トランシーバ３１０−ｎのＭＡＣアドレスは、Ｗｉ−Ｆｉ（登録商標）ネットワーク３１６を通じて直接的に、又はＷｉ−Ｆｉ（登録商標）アクセスポイント３０４を介した、制御装置３０２との通信を可能にする。
【００３７】
各照明装置の無線トランシーバ３１２−ｎはまた、照明装置のＷｉ−Ｆｉ（登録商標）無線トランシーバ３１０−ｎのＭＡＣアドレスとは異なるＭＡＣアドレスと関連付けられる。無線トランシーバ３１２−ｎのＭＡＣアドレスは、ＬＲ−ＷＰＡＮ３１４を通じて、ＬＲ−ＷＰＡＮ３１４に接続される他の照明装置との通信を可能にする。
【００３８】
本開示の発明者らは、照明装置のＷｉ−Ｆｉ（登録商標）無線トランシーバ３１０−ｎの各々のＭＡＣアドレスが照明装置のハードウェアに直接結び付けられる（即ち、各Ｗｉ−Ｆｉ（登録商標）無線トランシーバ３１０−ｎが固定のＷｉ−Ｆｉ（登録商標）  ＭＡＣアドレスを有する）知られている照明システムにおいて、上に言及されるブリッジとして動作する照明装置におけるこの変更が、ＬＲ−ＷＰＡＮ３１４に接続される照明装置を、制御装置３０２によって送信される照明コマンドに対して反応しなくなるようにするということを明らかにした。
【００３９】
追加のセキュリティのため、Ｗｉ−Ｆｉ（登録商標）アクセスポイント３０４は、特定のＭＡＣアドレスを有する装置からの接続のみを許可するために、“ＭＡＣフィルタリング”を実施するように構成される。故に、上に言及されるブリッジにおける変更があった場合、照明装置ＬＤ２のＷｉ−Ｆｉ（登録商標）無線トランシーバ３１０−２のＷｉ−Ｆｉ（登録商標）  ＭＡＣアドレスは、照明装置ＬＤ２のＷｉ−Ｆｉ（登録商標）無線トランシーバ３１０−２のＷｉ−Ｆｉ（登録商標）  ＭＡＣアドレスがＷｉ−Ｆｉ（登録商標）アクセスポイント３０４のＭＡＣ“ホワイトリスト”（Ｗｉ−Ｆｉ（登録商標）アクセスポイント３０４へ接続することが許されるＭＡＣアドレスのリスト）に存在しない場合は、たとえ照明装置ＬＤ２がＷｉ−Ｆｉ（登録商標）アクセスポイント３０４で認証するために必要なセキュリティ情報（例えば、ＳＳＩＤ／パスフレーズ）を保有するとしても、Ｗｉ−Ｆｉ（登録商標）アクセスポイント３０４への接続を許可されない。
【００４０】
故に、知られている照明システムのユーザは、ネットワークエラー又はネットワーク接続品質に起因して、健全な照明装置を誤って故障と診断し得る。
【００４１】
これを克服するために、照明装置ＬＤ２がＷｉ−Ｆｉ（登録商標）アクセスポイント３０４と通信することを認証されるようにＷｉ−Ｆｉ（登録商標）アクセスポイント３０４のリプログラミングが実施されるが、これは、ブリッジとして動作する照明装置が変わる度に手動によるユーザ入力を必要とする。事前に照明装置ＬＤ２がすでに認証されている（即ち、照明装置ＬＤ２がＷｉ−Ｆｉ（登録商標）アクセスポイント３０４で認証するのに必要なセキュリティ情報を受信しており、照明装置ＬＤ２のＷｉ−Ｆｉ（登録商標）無線トランシーバ３１０−２のＷｉ−Ｆｉ（登録商標）  ＭＡＣアドレスがＷｉ−Ｆｉ（登録商標）アクセスポイント３０４のＭＡＣ“ホワイトリスト”に追加されている）としても、依然として、Ｗｉ−Ｆｉ（登録商標）アクセスポイント３０４及び制御装置３０２が、例えば、照明装置に送信されるパケットの宛先アドレス及び照明装置から送信されるパケットのソースアドレスに関して、ブリッジの変更に適合するのに追加の時間を必要とする。
【００４２】
本開示の実施形態において、Ｗｉ−Ｆｉ（登録商標）  ＭＡＣアドレスは、照明装置のハードウェアに直接結び付けられない。代わりに、ブリッジの機能性が、例えば、照明装置ＬＤ３から照明装置ＬＤ２へ、変わるとき、照明装置ＬＤ２のＷｉ−Ｆｉ（登録商標）  ＭＡＣアドレスが、照明装置ＬＤ３がブリッジとして動作していたときに照明装置ＬＤ３によって使用されていたＷｉ−Ｆｉ（登録商標）  ＭＡＣアドレスへと変わる。故に、ＬＲ−ＷＰＡＮ３１４のネットワークトポロジー及びブリッジの場所が物理的に変わる一方で、Ｗｉ−Ｆｉ（登録商標）アクセスポイント３０４並びに制御装置３０２の観点からは、それが同じ照明装置と通信し続けると考えるため、何も変わらない。
【００４３】
本開示の実施形態は、どの照明装置がゲートウェイの役割を務めようとこの特定のＷｉ−Ｆｉ（登録商標）  ＭＡＣアドレスが常に使用されることになるため、Ｗｉ−Ｆｉ（登録商標）アクセスポイント３０４のＭＡＣ“ホワイトリスト”に追加される必要があるＷｉ−Ｆｉ（登録商標）  ＭＡＣアドレスが１つのみであるという点で特に有利である。
【００４４】
ここで本開示の実施形態に従う照明システム３００の照明装置ＬＤ２の概略ブロック図を例証する図４を参照する。
【００４５】
図４に示されるように、照明装置ＬＤ２は、少なくとも１つの光源３０８と、Ｗｉ−Ｆｉ（登録商標）ネットワーク３１６への接続のためのＷｉ−Ｆｉ（登録商標）無線トランシーバ３１０−２と、Ｚｉｇｂｅｅ（登録商標）又は６ｌｏｗｐａｎネットワークなどのＬＲ−ＷＰＡＮ３１４への接続のための無線トランシーバ３１２−２と、制御モジュール４００と、メモリ４０２とを備える。ＬＲ−ＷＰＡＮ３１４に接続される他の照明装置（ＬＤ１、ＬＤ３、ＬＤ４、及びＬＤ５）は、図４に示される照明装置ＬＤ２に一致する。
【００４６】
制御モジュール４００は、Ｗｉ−Ｆｉ（登録商標）無線トランシーバ３１０−２又は無線トランシーバ３１２−２のいずれかを介して受信される照明コマンドを受信し、光源３０８に適切な制御信号を送信することによって光源３０８から発せられる光を制御するように構成される。照明装置ＬＤ２がブリッジとして動作しているとき、照明コマンドは、Ｗｉ−Ｆｉ（登録商標）無線トランシーバ３１０−２を介して受信される（照明コマンドは、制御装置３０２から直接的に受信されているか、又はＷｉ−Ｆｉ（登録商標）アクセスポイント３０４を介して制御装置３０２から非直接的に受信されている）。照明装置ＬＤ２がブリッジとして動作していないとき、照明コマンドは、無線トランシーバ３１２−２を介して受信される（照明コマンドは、ブリッジとして動作している照明装置から直接的に受信されているか、又はＬＲ−ＷＰＡＮ３１４内の１つ又は複数の他の照明装置を介してブリッジとして動作している照明装置から非直接的に受信されている）。
【００４７】
制御モジュール４００の機能性は、１つ又は複数の記憶媒体を備えるメモリ上に格納されたコード（ソフトウェア）に実装され、１つ又は複数の処理ユニットを備えるプロセッサでの実行用に設定される。コードは、メモリから取り込まれてプロセッサで実行されるときに本明細書内で説明される本開示の実施形態に従って動作を実施するように構成される。代替的に、制御モジュール４００の機能性のいくつか又はすべてが、専用ハードウェア回路、又はフィールドプログラマブルゲートアレイ（ＦＰＧＡ）のような構成可能なハードウェア回路に実装されることは除外されない。
【００４８】
光源３０８は、例えば、高／低圧ガス放電源、レーザダイオード、無機／有機発光ダイオード（ＬＥＤ）、白熱源、又はハロゲン源などの人間の目に見えるスペクトルで光を発することができる任意の好適な光源を含む。光源は、単一の光源であるか、又は複数の光源、例えば、単一の光源として合わせて動作する並んだ光源を形成する複数のＬＥＤを含み得る。
【００４９】
メモリ４０２は、少なくとも（ｉ）Ｗｉ−Ｆｉ（登録商標）無線トランシーバ３１０−２のＷｉ−Ｆｉ（登録商標）  ＭＡＣアドレス、（ｉｉ）現在ブリッジとして動作している照明装置の無線トランシーバ３１２−ｎのＭＡＣアドレス（照明装置ＬＤ２が現在ブリッジとして動作していない場合）、及び（ｉｉｉ）ブリッジの役割がＬＲ−ＷＰＡＮ３１４内の別の照明装置に変わったことが検知されたときに、ネットワーク認証情報情報を修正する方法に関する既定のルールを格納する。
【００５０】
照明装置ＬＤ２上の制御モジュール４００が、照明装置ＬＤ２が照明装置ＬＤ３の代わりにブリッジとして動作すべきことを検知するシナリオに関して、以下に実施形態が説明される。
【００５１】
照明装置ＬＤ２上の制御モジュール４００は、様々な機序によって、照明装置ＬＤ２が照明装置ＬＤ３の代わりにブリッジとして動作すべきことを検知する。
【００５２】
ブリッジ選出アルゴリズムは、照明システム３００のパフォーマンスを最適化するためにどの照明装置がブリッジとして働くべきであるかを決定するために動的に実行される。
【００５３】
ブリッジ選出アルゴリズムは、照明装置（ＬＤ１、ＬＤ２、ＬＤ３、ＬＤ４、及びＬＤ５）の各々で実行される分散型調停アルゴリズムであるため、どの照明装置がブリッジであるのが最も好適であるかを照明装置が共同で選出する。この実施形態では、定期的に、例えば、毎分１回、現存の照明装置のすべてが、ＬＲ−ＷＰＡＮ３１４を通じて互いに通信して、自らの信号特性及び／又は装置能力を共有する。信号特性は、受信した信号強度、遅延、送信電力、ＬＲ−ＷＰＡＮ３１４内のすべての照明装置までのホップ数、ＬＲ−ＷＰＡＮ３１４内のすべての照明装置に対するレイテンシ、ＬＲ−ＷＰＡＮ３１４内のすべての照明装置までの帯域幅、Ｗｉ−Ｆｉ（登録商標）アクセスポイント３０４までの信号対雑音比などのうちの１つ又は複数を含む。装置能力は、装置の処理能力、装置で利用可能なメモリの数などのうちの１つ又は複数を含む。
【００５４】
故に、照明装置ＬＤ２上の制御モジュール４００は、ＬＲ−ＷＰＡＮ３１４を介して照明装置（ＬＤ１、ＬＤ３、ＬＤ４、及びＬＤ５）と関連付けられる信号特性及び／又は装置能力を受信し、照明装置ＬＤ２と関連付けられる信号特性及び／又は装置能力を決定し、照明装置ＬＤ２が、自らの信号特性及び／又は装置能力とＬＲ−ＷＰＡＮ３１４内の他の照明装置の信号特性及び／又は装置能力との比較に基づいて、ブリッジとして動作すべきことを検知する。
【００５５】
この選出プロセスの後、新しい照明装置が新しいブリッジとなるように選出される場合、ＬＲ−ＷＰＡＮ３１４内の他の全照明装置が、この決定を必然的に認識する。
【００５６】
代替的に、ブリッジ選出アルゴリズムは、単一の照明装置（例えば、ブリッジ照明装置）で実行されるリーダー選出アルゴリズムである。この実施形態では、“リーダー”照明装置は、自らの信号特性及び／又は装置能力とＬＲ−ＷＰＡＮ３１４内の他の照明装置の信号特性及び／又は装置能力とを使用して、どの照明装置がブリッジであるのが最も好適であるかを決定する。この決定がなされると、“リーダー”照明装置は、新しいブリッジになるように選出された照明装置にこの決定を伝える（ＬＲ−ＷＰＡＮ３１４に接続された他の照明装置にもこの決定を伝える）。
【００５７】
故に、照明装置ＬＤ２上の制御モジュール４００は、無線トランシーバ３１２−２による、照明装置ＬＤ２にブリッジとして動作することを命令する“リーダー”照明装置からのメッセージの受信に基づいて、照明装置ＬＤ２がブリッジとして動作すべきことを検知する。他の照明装置は、この選出を、“リーダー”照明装置によって直接的に、又は照明装置ＬＤ２によって知らされ得る。代替的に、他の照明装置は、この選出を、ＬＲ−ＷＰＡＮ３１４内のトラフィックをリッスンすることによって直接的に知らされ得る。
【００５８】
照明装置（ＬＤ１、ＬＤ２、ＬＤ３、ＬＤ４、及びＬＤ５）のうちの１つで実行されるリーダー選出アルゴリズムの代わりに、それは、インターネット３０６に接続された外部サーバで実行されてもよい。この実施形態では、現存の照明装置の各々が自らの信号特性及び／又は装置能力を外部サーバに送信する。照明装置の信号特性及び／又は装置能力の比較に基づいて、外部サーバは、どの照明装置がブリッジとして動作すべきかを決定し、コマンドを新しく選出されたブリッジ照明装置に送信する（前の照明装置を介して）。故に、照明装置ＬＤ２上の制御モジュール４００は、無線トランシーバ３１２−２を使用したそのようなコマンドの受信に基づいて（前のブリッジ照明装置を介して受信される）、照明装置ＬＤ２がブリッジとして動作すべきことを検知する。
【００５９】
さらには、制御モジュール４００は、無線トランシーバ３１２−２を使用した制御装置３０２からのコマンドの受信に基づいて（前のブリッジ照明装置を介して受信される）、照明装置ＬＤ２がブリッジとして動作すべきことを検知する。このコマンドは、制御装置３０２で実行されるソフトウェアアプリケーションとインタラクトする１つ又は複数の選択を行う制御装置３０２のユーザに応答して制御装置３０２から送信される。制御装置３０２からのコマンドは、上記のブリッジ選出アルゴリズムの実行によってなされるいかなる決定にも優先する。
【００６０】
図５ａは、Ｗｉ−Ｆｉ（登録商標）無線トランシーバ３１０−１乃至３１０−５のＭＡＣアドレスを示すネットワーク認証情報情報の例を例証する。具体的には、図５ａは、照明装置ＬＤ１がＷｉ−Ｆｉ（登録商標）  ＭＡＣアドレスＭＡＣ−Ａと関連付けられ、照明装置ＬＤ２がＷｉ−Ｆｉ（登録商標）  ＭＡＣアドレスＭＡＣ−Ｂと関連付けられ、照明装置ＬＤ３がＷｉ−Ｆｉ（登録商標）  ＭＡＣアドレスＭＡＣ−Ｃと関連付けられ、照明装置ＬＤ４がＷｉ−Ｆｉ（登録商標）  ＭＡＣアドレスＭＡＣ−Ｄと関連付けられ、照明装置ＬＤ５がＷｉ−Ｆｉ（登録商標）  ＭＡＣアドレスＭＡＣ−Ｅと関連付けられることを例証する。図５ａは、太字によって、照明装置ＬＤ３がブリッジとして動作していることを例証する。
【００６１】
照明装置ＬＤ２上の制御モジュール４００は、無線環境の変化に起因してブリッジとして動作する照明装置が変わったことを検知し、それに応じてメモリ４０２に格納されるネットワーク認証情報情報を修正することができる。
【００６２】
本開示のすべての実施形態に従って、照明装置ＬＤ２が照明装置ＬＤ３の代わりにブリッジとして動作すべきことを検知すると、制御モジュール４００は、照明装置ＬＤ２が、照明装置ＬＤ３がブリッジとして動作していたときに照明装置ＬＤ３によって使用されていたＭＡＣアドレス（ＭＡＣ−Ｃ）と関連付けられるように、メモリ４０２に格納されるネットワーク認証情報情報を修正するように構成される。
【００６３】
照明装置ＬＤ２上の制御モジュール４００が、無線トランシーバ３１２−２による、照明装置ＬＤ２にブリッジとして動作することを命令するＬＲ−ＷＰＡＮ３１４を通じた“リーダー”照明装置（例えば、照明装置ＬＤ３）から送信されるメッセージの受信に基づいて、照明装置ＬＤ２がブリッジとして動作すべきことを検知するシナリオにおいて、照明装置ＬＤ２上の制御モジュール４００は、受信したメッセージ（メッセージはＷｉ−Ｆｉ（登録商標）  ＭＡＣアドレスＭＡＣ−Ｃを含む）を読み込むことによって、照明装置ＬＤ３がブリッジとして動作していたときに照明装置ＬＤ３によって使用されていたＷｉ−Ｆｉ（登録商標）  ＭＡＣアドレス（ＭＡＣ−Ｃ）を獲得する。
【００６４】
実施形態において、メモリ４０２は、少なくとも、現在ブリッジとして動作している照明装置ＬＤ３によって使用されるＷｉ−Ｆｉ（登録商標）  ＭＡＣアドレス（ＭＡＣ−Ｃ）をさらに格納する。
【００６５】
照明装置ＬＤ２上の制御モジュール４００が、無線トランシーバ３１２−２による、照明装置ＬＤ２にブリッジとして動作することを命令するＬＲ−ＷＰＡＮ３１４を通じた“リーダー”照明装置（例えば、照明装置ＬＤ３）から送信されるメッセージの受信に基づいて、照明装置ＬＤ２がブリッジとして動作すべきことを検知するシナリオにおいて、照明装置ＬＤ２上の制御モジュール４００は、メモリ４０２に問合せを行うことによって、Ｗｉ−Ｆｉ（登録商標）  ＭＡＣアドレス（ＭＡＣ−Ｃ）を獲得する（例えば、メッセージがＷｉ−Ｆｉ（登録商標）  ＭＡＣアドレス（ＭＡＣ−Ｃ）を含まない場合）。同様に、照明装置ＬＤ２上の制御モジュール４００が、ブリッジ選出アルゴリズムの実行に基づいて、照明装置ＬＤ２がブリッジとして動作すべきことを検知するシナリオでは、照明装置ＬＤ２上の制御モジュール４００は、メモリ４０２に問合せを行うことによってＷｉ−Ｆｉ（登録商標）  ＭＡＣアドレス（ＭＡＣ−Ｃ）を獲得する。
【００６６】
第１の実施形態において、メモリ４０２に格納されるネットワーク認証情報情報を修正するやり方に関する既定のルールは、ブリッジとして働く前の照明装置のＷｉ−Ｆｉ（登録商標）  ＭＡＣアドレス及びブリッジとして働く新しい照明装置のみが修正されるべきであると規定する。具体的には、前のブリッジ照明装置のＷｉ−Ｆｉ（登録商標）  ＭＡＣアドレスが新しいブリッジ照明装置のＷｉ−Ｆｉ（登録商標）  ＭＡＣアドレスと交換されるべきであると規定する。
【００６７】
第１の実施形態に従って、照明装置ＬＤ２がブリッジとして動作すべきと検知することに応答して、制御モジュール４００は、照明装置ＬＤ２が、照明装置ＬＤ３がブリッジとして動作していたときに照明装置ＬＤ３に使用されていたＷｉ−Ｆｉ（登録商標）  ＭＡＣアドレス（ＭＡＣ−Ｃ）と関連付けられるように、及び照明装置ＬＤ３が、以前に照明装置ＬＤ２と関連付けられていたＷｉ−Ｆｉ（登録商標）  ＭＡＣアドレス（ＭＡＣ−Ｂ）と関連付けられるように、メモリ４０２に格納されるネットワーク認証情報情報を修正するように構成される。この修正後のＷｉ−Ｆｉ（登録商標）無線トランシーバ３１０−１乃至３１０−５のＷｉ−Ｆｉ（登録商標）  ＭＡＣアドレスは、図５ｂに例証される。この修正後、照明装置ＬＤ２は、それがブリッジとなり、ＬＲ−ＷＰＡＮ３１４に接続される照明装置と制御装置３０２との間でデータの橋渡しをする（直接的、又はＷｉ−Ｆｉ（登録商標）アクセスポイント３０４を介してのいずれかで）役割を果たすことを認識する。
【００６８】
メモリ４０２は、照明装置ＬＤ１、ＬＤ４、及びＬＤ５のＷｉ−Ｆｉ（登録商標）  ＭＡＣアドレス（ＭＡＣ−Ａ、ＭＡＣ−Ｄ、ＭＡＣ−Ｅ）をさらに格納するが、第１の実施形態に従って、制御モジュール４００はこれらの追加のＷｉ−Ｆｉ（登録商標）  ＭＡＣアドレスを修正しない。
【００６９】
ここで、メモリ４０２がＬＲ−ＷＰＡＮ３１４内の照明装置の各々と関連付けられるＷｉ−Ｆｉ（登録商標）  ＭＡＣアドレスを示すネットワーク認証情報情報を格納するという第２の実施形態が説明される。即ち、メモリ４０２は、照明装置ＬＤ２の固有のＷｉ−Ｆｉ（登録商標）  ＭＡＣアドレス、並びにＬＲ−ＷＰＡＮ３１４内の他の照明装置（ＬＤ１、ＬＤ３、ＬＤ４、及びＬＤ５）のＷｉ−Ｆｉ（登録商標）  ＭＡＣアドレスを格納する。
【００７０】
第２の実施形態において、ネットワーク認証情報情報を修正する方法に関する既定のルールは、ＬＲ−ＷＰＡＮ３１４内の照明装置（ＬＤ１、ＬＤ２、ＬＤ３、ＬＤ４、及びＬＤ５）の各々のＷｉ−Ｆｉ（登録商標）  ＭＡＣアドレスが修正されるべきであると規定する。具体的には、照明装置のＷｉ−Ｆｉ（登録商標）  ＭＡＣアドレスは、ラウンドロビン方式に従って修正されることになる。
【００７１】
第２の実施形態に従って、照明装置ＬＤ２がブリッジとして動作すべきと検知することに応答して、制御モジュール４００は、照明装置ＬＤ３がブリッジとして動作していたときに照明装置ＬＤ２によって使用されていたＷｉ−Ｆｉ（登録商標）  ＭＡＣアドレス（ＭＡＣ−Ｂ）と照明装置ＬＤ１が関連付けられ、照明装置ＬＤ３がブリッジとして動作していたときに照明装置ＬＤ３によって使用されていたＷｉ−Ｆｉ（登録商標）  ＭＡＣアドレス（ＭＡＣ−Ｃ）と照明装置ＬＤ２が関連付けられ、照明装置ＬＤ３がブリッジとして動作していたときに照明装置ＬＤ４によって使用されていたＷｉ−Ｆｉ（登録商標）  ＭＡＣアドレス（ＭＡＣ−Ｄ）と照明装置ＬＤ３が関連付けられ、照明装置ＬＤ３がブリッジとして動作していたときに照明装置ＬＤ５によって使用されていたＷｉ−Ｆｉ（登録商標）  ＭＡＣアドレス（ＭＡＣ−Ｅ）と照明装置ＬＤ４が関連付けられ、照明装置ＬＤ３がブリッジとして動作していたときに照明装置ＬＤ１によって使用されていたＷｉ−Ｆｉ（登録商標）  ＭＡＣアドレス（ＭＡＣ−Ａ）と照明装置ＬＤ５が関連付けられるように、メモリ４０２に格納されるネットワーク認証情報情報を修正するように構成される。
【００７２】
この修正後のＷｉ−Ｆｉ（登録商標）無線トランシーバ３１０−１乃至３１０−５のＷｉ−Ｆｉ（登録商標）  ＭＡＣアドレスは、図５ｃに例証される。この修正後、照明装置ＬＤ２は、それがブリッジとなり、ＬＲ−ＷＰＡＮ３１４に接続される照明装置と制御装置３０２との間でデータの橋渡しをする（直接的、又はＷｉ−Ｆｉ（登録商標）アクセスポイント３０４を介してのいずれかで）役割を果たすことを認識する。
【００７３】
上記の実施形態において、照明装置ＬＤ２はブリッジとして動作しながらも、照明装置ＬＤ２上の制御モジュール４００は、それがブリッジとしてもはや動作すべきでないことを検知し、その役割自体を積極的に移行させる。これは様々なやり方で検知され得る。
【００７４】
照明装置ＬＤ２上の制御モジュール４００は、制御モジュール４００におけるブリッジ選出アルゴリズム（分散型調停アルゴリズム又はリーダー選出アルゴリズム）の実行に基づいて、即ち、照明装置ＬＤ２及びＬＲ−ＷＰＡＮ３１４に接続される他の照明装置（ＬＤ１、ＬＤ３、ＬＤ４、及びＬＤ５）と関連付けられる信号特性及び／又は装置能力に基づいて、照明装置ＬＤ２がもはやブリッジとして動作すべきでないこと、並びに選出プロセス後に別の照明装置（ＬＤ１、ＬＤ３、ＬＤ４、又はＬＤ５）がブリッジとして選出されたことを検知する。
【００７５】
制御モジュール４００は、Ｗｉ−Ｆｉ（登録商標）アクセスポイント３０４とＷｉ−Ｆｉ（登録商標）無線トランシーバ３１０−２との間の通信リンクの１つ又は複数の測定されたネットワークＱｏＳパラメータに基づいて、照明装置ＬＤ２がもはやブリッジとして動作すべきでないことを検知する。例えば、制御モジュール４００は、Ｗｉ−Ｆｉ（登録商標）アクセスポイント３０４とＷｉ−Ｆｉ（登録商標）無線トランシーバ３１０−２との間の通信リンクにおける信号強度（ｄＢｍ）が既定のレベル未満であると検知することに応答して、照明装置ＬＤ２がもはやブリッジとして動作すべきでないことを検知する。別の例では、制御モジュール４００は、Ｗｉ−Ｆｉ（登録商標）アクセスポイント３０４とＷｉ−Ｆｉ（登録商標）無線トランシーバ３１０−２との間の通信リンクにおけるトラフィック数が、既定の時間内に既定のレベル未満であると検知することに応じて、照明装置ＬＤ２がもはやブリッジとして動作すべきではないことを検知する。さらに別の例では、制御モジュール４００は、Ｗｉ−Ｆｉ（登録商標）アクセスポイント３０４とＷｉ−Ｆｉ（登録商標）無線トランシーバ３１０−２との間の通信リンクのレイテンシが既定のレベルを超えたと検知することに応答して、照明装置ＬＤ２がもはやブリッジとして動作すべきでないことを検知する。
【００７６】
制御モジュール４００は、Ｗｉ−Ｆｉ（登録商標）無線トランシーバ３１０−２による制御装置３０２からのコマンドの受信に基づいて（直接的に、又はＷｉ−Ｆｉ（登録商標）アクセスポイント３０４を介してのいずれかで）、照明装置ＬＤ２がもはやブリッジとして動作すべきでないことを検知する。このコマンドは、制御装置３０２で実行されるソフトウェアアプリケーションとインタラクトする１つ又は複数の選択を行う制御装置３０２のユーザに応答して制御装置３０２から送信される。
【００７７】
制御モジュール４００は、Ｗｉ−Ｆｉ（登録商標）無線トランシーバ３１０−２による上記外部サーバからのコマンドの受信に基づいて、照明装置ＬＤ２がもはやブリッジとして動作すべきでないことを検知する。
【００７８】
第１の実施形態に従って、照明装置ＬＤ２がもはやブリッジとして動作すべきではないというこの決定に応答して、照明装置ＬＤ２上の制御モジュール４００は、それに応じてメモリ４０２に格納されるネットワーク認証情報情報を修正するように構成される。例えば、制御モジュール４００が、照明装置ＬＤ４がブリッジになったことを検知すると、制御モジュール４００は、照明装置ＬＤ４が、照明装置ＬＤ２がブリッジとして動作していたときに照明装置ＬＤ２に使用されていたＷｉ−Ｆｉ（登録商標）  ＭＡＣアドレス（ＭＡＣ−Ｃ）と関連付けられ、照明装置ＬＤ２が、以前に照明装置ＬＤ４と関連付けられていたＷｉ−Ｆｉ（登録商標）  ＭＡＣアドレス（ＭＡＣ−Ｄ）と関連付けられるように、メモリ４０２に格納されるネットワーク認証情報情報を修正するように構成される。この修正後、照明装置ＬＤ２は、制御装置３０２とのいかなる通信も照明装置ＬＤ４を介すべきことを認識する。
【００７９】
第２の実施形態に従って、照明装置ＬＤ２がもはやブリッジとして動作すべきではないというこの決定に応答して、照明装置ＬＤ２上の制御モジュール４００は、それに応じてメモリ４０２に格納されるネットワーク認証情報情報を修正するように構成される。例えば、制御モジュール４００が、照明装置ＬＤ４がブリッジになったことを検知すると、制御モジュール４００は、照明装置ＬＤ１が、照明装置ＬＤ２がブリッジとして動作していたときに照明装置ＬＤ４によって使用されていたＷｉ−Ｆｉ（登録商標）  ＭＡＣアドレス（ＭＡＣ−Ｅ）と関連付けられ、照明装置ＬＤ２が、照明装置ＬＤ２がブリッジとして動作していたときに照明装置ＬＤ５によって使用されていたＷｉ−Ｆｉ（登録商標）  ＭＡＣアドレス（ＭＡＣ−Ａ）と関連付けられ、照明装置ＬＤ３が、照明装置ＬＤ２がブリッジとして動作していたときに照明装置ＬＤ１によって使用されていたＷｉ−Ｆｉ（登録商標）  ＭＡＣアドレス（ＭＡＣ−Ｂ）と関連付けられ、照明装置ＬＤ４が、照明装置ＬＤ２がブリッジとして動作していたときに照明装置ＬＤ２によって使用されていたＷｉ−Ｆｉ（登録商標）  ＭＡＣアドレス（ＭＡＣ−Ｃ）と関連付けられ、照明装置ＬＤ５が、照明装置ＬＤ２がブリッジとして動作していたときに照明装置ＬＤ３によって使用されていたＷｉ−Ｆｉ（登録商標）  ＭＡＣアドレス（ＭＡＣ−Ｄ）と関連付けられるように、メモリ４０２に格納されるネットワーク認証情報情報を修正するように構成される。この修正後、照明装置ＬＤ２は、制御装置３０２とのいかなる通信も照明装置ＬＤ４を介すべきことを認識する。
【００８０】
照明装置ＬＤ２がブリッジとして動作しているなか、照明装置ＬＤ２は、ＬＲ−ＷＰＡＮ３１４に接続される他の照明装置（ＬＤ１、ＬＤ３、ＬＤ４、及びＬＤ５）によってブリッジとしてのその役割を解かれる。例えば、照明装置ＬＤ２が、例えば、照明装置ＬＤ２がＷｉ−Ｆｉ（登録商標）ネットワーク３１６への接続を失うか、照明装置ＬＤ２に干渉が発生するか、照明装置ＬＤ２がパワーセーブモードに移行するか、又は照明装置ＬＤ２に故障が発生することに起因して、利用不可能になる場合、ＬＲ−ＷＰＡＮ３１４に接続された残りの照明装置（ＬＤ１、ＬＤ３、ＬＤ４、及びＬＤ５）は、依然として選出プロセスを実施して、新しいブリッジ照明装置を選出し、それに応じて上記のように働くことができる。
【００８１】
照明装置ＬＤ２が利用不可能であることは、一時的のみの場合があり（利用不可能になった原因が、例えば、Ｗｉ−Ｆｉ（登録商標）ネットワーク３１６への接続の喪失、又はパワーセーブモードへ入ったことであった）、ＬＲ−ＷＰＡＮ３１４内に再び現れる。
【００８２】
失われたブリッジ照明装置ＬＤ２が再び現れると、それは、ブリッジの変更について、他の照明装置（ＬＤ１、ＬＤ３、ＬＤ４、及びＬＤ５）によって直接的に、又は、ＬＲ−ＷＰＡＮ３１４内のトラフィックをリッスンすることによって非直接的に知らされ得る。照明装置ＬＤ２がいかなる他のＷｉＦｉ装置も見ることができない場合、照明装置ＬＤ２は必然的に、照明装置ＬＤ２がブリッジ装置の役割から外されたに違いないと結論付ける。照明装置ＬＤ２は、ブリッジとして動作するときにそれが使用したＷｉ−Ｆｉ（登録商標）  ＭＡＣアドレスを使用せず、代わりに、ＬＲ−ＷＰＡＮ３１４を通じた少なくとも１つの他の照明装置（ＬＤ１、ＬＤ３、ＬＤ４、及びＬＤ５）との通信に基づいて、どのＷｉ−Ｆｉ（登録商標）  ＭＡＣアドレスを使用すべきかを決定する。
【００８３】
上記の第１及び第２の実施形態において、Ｗｉ−Ｆｉ（登録商標）  ＭＡＣアドレス（ＭＡＣ−Ａ、ＭＡＣ−Ｂ、ＭＡＣ−Ｃ、ＭＡＣ−Ｄ、及びＭＡＣ−Ｅ）は、特定の照明装置に直接結び付けられないが、各Ｗｉ−Ｆｉ（登録商標）  ＭＡＣアドレスはＬＲ−ＷＰＡＮ３１４内で固有のままである。
【００８４】
実施形態は、照明装置ＬＤ２に格納されるネットワーク認証情報情報の修正に関して上に説明されているが、他の照明装置（ＬＤ１、ＬＤ３、ＬＤ４、及びＬＤ５）も、同じ様式で個々の照明装置に格納されるネットワーク認証情報情報を修正するように構成される。ＬＲ−ＷＰＡＮ３１４内の照明装置の各々は、それらの個々のメモリに格納されるネットワーク認証情報情報の修正を同期させる。この同期は、ＬＲ−ＷＰＡＮ３１４を通じて照明装置（ＬＤ１、ＬＤ２、ＬＤ３、ＬＤ４、及びＬＤ５）間でスケジューリング情報を通信することによって実施される。これが、ネットワークエラーの数を有利に減少させる。
【００８５】
ブリッジの役割が上に説明されているＬＲ−ＷＰＡＮ３１４内の別の照明装置に変わったことを制御モジュール４００が検知したときに、制御モジュール４００によって実施されるネットワーク認証情報情報の修正は、Ｗｉ−Ｆｉ（登録商標）ネットワーク３１６内の直接接続を介して（即ち、Ｗｉ−Ｆｉ（登録商標）アクセスポイント３０４を介さない）ＬＲ−ＷＰＡＮ３１４内のブリッジ照明装置へ接続するというシナリオにまで及ぶ。
【００８６】
第３の実施形態において、照明装置ＬＤ３の代わりに照明装置ＬＤ２をブリッジとして選出した後、照明装置ＬＤ３は、照明装置ＬＤ３がブリッジとして動作していたときに照明装置ＬＤ３によって使用されていたＷｉ−Ｆｉ（登録商標）  ＭＡＣアドレス（ＭＡＣ−Ｃ）と引き続き関連付けられるように構成される。さらには、他の照明装置（ＬＤ１、ＬＤ４、及びＬＤ５）の各々は、これらの照明装置の各々が、照明装置ＬＤ３がブリッジとして動作していたときに照明装置ＬＤ３によって使用されていたＷｉ−Ｆｉ（登録商標）  ＭＡＣアドレス（ＭＡＣ−Ｃ）と関連付けられるように、それらの個々のメモリ４０２に格納されるネットワーク認証情報情報を修正するように構成される。
【００８７】
故に、照明装置ＬＤ２上の制御モジュール４００が、照明装置ＬＤ１が照明装置ＬＤ３の代わりにブリッジとして動作すべきことを検知した場合、第３の実施形態に従って、制御モジュール４００は、照明装置ＬＤ２が、照明装置ＬＤ３がブリッジとして動作していたときに照明装置ＬＤ３によって使用されていたＷｉ−Ｆｉ（登録商標）  ＭＡＣアドレス（ＭＡＣ−Ｃ）と関連付けられるように、メモリ４０２に格納されるネットワーク認証情報情報を修正するように構成される。したがって、Ｗｉ−Ｆｉ（登録商標）無線トランシーバ３１０−２は、照明装置ＬＤ２が選出されてブリッジとして動作するときに、Ｗｉ−Ｆｉ（登録商標）ネットワーク３１６を介した通信のためにＷｉ−Ｆｉ（登録商標）  ＭＡＣアドレス（ＭＡＣ−Ｃ）を使用するように構成される。
【００８８】
故に、この実施形態においては、それらの個々のメモリに格納されるネットワーク認証情報情報のこの修正後、照明装置のすべてがブリッジとして動作する能力を有する。この修正後のＷｉ−Ｆｉ（登録商標）無線トランシーバ３１０−１乃至３１０−５のＷｉ−Ｆｉ（登録商標）  ＭＡＣアドレスは、図５ｄに例証される。ＬＲ−ＷＰＡＮ３１４内にブリッジとして動作する照明装置が１つのみ存在し得る照明システムにおいて、この実施形態は、どの時点においても１つのみの照明装置がＷｉ−Ｆｉ（登録商標）アクセスポイント３０４と通信し、ＬＲ−ＷＰＡＮ３１４内の残りの照明装置がＷｉ−Ｆｉ（登録商標）アクセスポイント３０４と通信しない限り機能する。
【００８９】
上記の実施形態は、シームレスなネットワークトポロジー変更を有利に可能にし、それ故に照明システム３００はパフォーマンスの低下を招くことなく動作を維持する。
【００９０】
実施形態は、照明装置ＬＤ２の動作に関して上に説明されてきたが、各実施形態において、照明装置の各々が、照明装置ＬＤ２について説明されるものと同じ様式で動作するように構成される。
【００９１】
上記の実施形態において、新しい照明装置がＬＲ−ＷＰＡＮ３１４に追加されるとき、照明システム３００の構成は更新されるべきである。ブリッジとして動作する照明装置は、新しい照明装置がＬＲ−ＷＰＡＮ３１４に追加されたことを検知し、どうのように構成が更新されるべきか（例えば、ルーティング情報、ＬＲ−ＷＰＡＮ３１４に接続された照明装置のＬＲ−ＷＰＡＮ  ＭＡＣアドレスのリスト、ＬＲ−ＷＰＡＮ  ＭＡＣアドレスのＷｉ−Ｆｉ（登録商標）  ＭＡＣアドレスへのマッピング、ブリッジ照明装置の可能性のある再割当て）を決定するように構成される。ＬＲ−ＷＰＡＮ３１４内に１つのみのブリッジが存在し得る照明システムにおいて、ブリッジとして動作する照明装置がこの決定を行うのは論理的な選択である。
【００９２】
ＬＲ−ＷＰＡＮ３１４内に２つ以上のブリッジを有することが許される場合、照明装置の各々が、それらの個々のメモリに事前に定義された情報を格納するべきであり、それは、新しい照明装置がＬＲ−ＷＰＡＮ３１４に追加されたことが検出されるときに、どのように構成が更新されるべきかを、ブリッジとして動作する複数の照明装置のうちのどれが決定すべきかを決定するために使用される。この事前に定義された情報は装置内に格納され得、格納された値は、必要な場合には、同様に事前に同期され得る。
【００９３】
開示された実施形態に対する他の変形形態は、特許請求された発明の実践において、図面、本開示、及び添付の請求項から当業者により理解及び達成され得る。請求項において、”含む”という単語は、他の要素又はステップを除外するものではなく、不定冠詞”ａ”又は”ａｎ”は複数を除外しない。単一のプロセッサ又は他のユニットが、請求項に列挙されるいくつかの項目の機能を満たしてもよい。特定の方策が相互に異なる従属請求項内に列挙されるということだけでは、これらの方策の組み合わせを有利に使用できないということを示さない。コンピュータプログラムは、他のハードウェアと一緒に供給されるか、又はその一部である光学記憶媒体又は固体媒体などの好適な媒体上に格納／配布され得るが、インターネット又は他の有線若しくはワイヤレス電気通信システムを介するなど、他の形態で配布されてもよい。請求項内の参照番号は、範囲を制限するものとして解釈されるべきではない。
【図１】
0006416412.tif 000002
【図２】
0006416412.tif 000003
【図３ａ】
0006416412.tif 000004
【図３ｂ】
0006416412.tif 000005
【図４】
0006416412.tif 000006
【図５ａ】
0006416412.tif 000007
【図５ｂ】
0006416412.tif 000008
【図５ｃ】
0006416412.tif 000009
【図５ｄ】
0006416412.tif 000010